(57)【要約】【課題】レンジフードフィルター装置において、使用過程で汚染したフィルター材の自動更新を可能とする機能を構成する。【解決手段】レンジフード１の吸入開口部に着脱自在に取り付けられてフィルター機能を構成し、かつ、このフィルター材３にスライド移動機能を付与するため、アウタカバー・ケース２の外側端部に回動自在であるが若干の回転抵抗を構成する未使用フィルター材ロール４と、もう一方側の外側端部に備えられる汚染フィルター材ロール５’の巻き取り装置５と、吸入口開口部のフィルター材３を保持するための左右のフィルター材縁部ガイド８’と、該フィルター材使用更新時期を設定するためのタイマー装置７を備え、このタイマー装置７の入力で出力し巻き取り装置５を作動させる駆動モータ装置６と、から成るレンジフードフィルター装置を構成する。【選択図】図２
2010255957.tif 000002
【特許請求の範囲】
【請求項１】
レンジフードの吸入開口部に着脱自在に取り付けられ、このレンジフードの吸入口を構成するアウタカバー・ケースの開口部の全面にフィルター機能を構成し、かつ、このフィルター材にスライド移動機能を付与するため、アウタカバー・ケースの外側端部に取り付けられるケース内で回動自在であるが若干の回転抵抗を構成する未使用フィルター材ロールと、もう一方側の外側端部に設けられるケース内に備えられる汚染フィルター材ロールの巻き取り装置と、吸入口開口部のフィルター材を保持するためにアウタカバー・ケースの両側側面に設けられる左右のフィルター材縁部ガイドと、該フィルター材使用更新時期を設定するためのタイマー装置を備え、このタイマー装置の入力で出力し巻き取り装置を作動させる駆動モータ装置により、汚染フィルター材更新スライド移動機能を構成したことを特徴とするレンジフードフィルター装置。
【請求項２】
フィルター材縁部ガイドが、フィルター材の長さ方向に若干長さを有し、アウタカバー・ケースの左右側面に固定される固定部とＬ字形板状又は平板状で形成されるフィルター材縁部ガイドの間に設けられる中心軸に若干強さのばね力を構成し、フィルター材縁部ガイドがフィルター材縁部から外れ若干角度で行う回転動作が若干の節度をもってできるようにしたことを特徴とする請求項１記載のレンジフードフィルター装置。
【請求項３】
フィルター材が、フィルター材機能を損なうことなくスライド移動ができるようにするため、長さ方向の左右端部及び巻き取り側端部に若干剛性を有する若干幅の帯状縁部を構成したことを特徴とする請求項１記載のレンジフードフィルター装置。
【請求項４】
汚染フィルター材ロールの巻き取り装置の駆動を手動で行えるようにしたことを特徴とする請求項１記載のレンジフードフィルター装置。
【発明の詳細な説明】
【技術分野】
【０００１】
本発明は、フィルター材の更新スライド移動を可能とするレンジフードフィルター装置に関するものである。
【背景技術】
【０００２】
レンジフードフィルター装置に構成されるフィルター機構において、フィルター機能性の向上とともに汚染フィルター材の交換又は洗浄が容易とされる方法のものが、実用に多く供されている。
【０００３】
しかし、フィルター機能性の向上がなされ、汚染フィルター材交換又は洗浄が容易とされる方法のものであっても、使用過程における汚染の都度、フィルター面より汚染フィルター材を取り外し、次の使用に備えなければならないという作業性に係る欠点があった。
【特許文献１】特開平２００８−７５９５８号公報
【発明の開示】
【発明が解決しようとする課題】
【０００４】
以上のように、例えばフィルター面に装置されたフィルター材を、使用過程で汚染の際、該汚染フィルター材のスライド移動を可能とし、必要に応じてその更新が自動継続できるという有効な機能手段が構成されていないという点である。
利用者がフィルター面における汚染フィルター材に触れることなく、使用過程で汚染された汚染フィルタ材の自動更新移動を可能とする有効な機能手段を提供することにある。
【課題を解決するための手段】
【０００５】
本発明は、レンジフードの吸入開口部に着脱自在に取り付けられ、このレンジフードの吸入口を構成するアウタカバー・ケースの開口部の全面にフィルター機能を構成し、かつ、このフィルター材にスライド移動機能を付与するため、アウタカバー・ケースの外側端部に取り付けられ回動自在であるが若干の回転抵抗を構成する未使用フィルター材ロールと、もう一方側の外側端部に備えられる汚染フィルター材ロールの巻き取り装置と、吸入口開口部のフィルター材を保持するためにアウタカバー・ケースの両側側面に設けられる左右のフィルター材縁部ガイドと、汚染フィルター材の使用更新時期を設定するためのタイマー装置を備え、このタイマー装置の入力で出力し巻き取り装置を作動させる駆動モータ装置と、などで機能構成したことを最も主要な特徴とする。
【発明の効果】
【０００６】
本発明のレンジフードフィルター装置は、吸入開口部のフィルター材を使用過程の汚染の都度交換脱着しなければならない従来仕様のものと異なり、未使用フィルター材ロールと汚染フィルター材ロールを巻き取るための巻き取り装置を備え、汚染したフィルター材の自動更新スライド移動を予約できるタイマー装置などで機能構成したことは、レンジフードフィルター装置使用環境における効率性を高め、かつ、衛生的であり利便性に大いに優れている。
【０００７】
請求項２のフィルター材縁部ガイドが、フィルター材の長さ方向に若干長さを有し、アウタカバー・ケースの左右側面に固定される固定部とＬ字形板状又は平板状で形成されるフィルター材縁部ガイドの間に若干強さのばね力を構成し、該フィルター材縁部ガイドがフィルター材縁部から外れ若干角度で行う回転動作が若干の節度をもってできるように構成したことは、フィルター材の着脱機能構成に大いに優れている。
【０００８】
請求項３のフィルター材が、フィルター材機能を損なうことなくスライド移動ができるようにするため、長さ方向の左右端部及び巻き取り側端部に若干剛性を有する若干幅の帯状縁部を構成したことは機能的に大いに優れている。
【０００９】
請求項４の汚染フィルター材ロールの巻き取り装置の駆動を手動で行えるようにしたことは、利便性に優れている。
【発明を実施するための最良の形態】
【００１０】
レンジフードの吸入開口部に着脱自在に取り付けられ、このレンジフードの吸入口を構成するアウタカバー・ケースの開口部の全面にフィルター機能を構成し、かつ、このフィルター材にスライド移動機能を付与するため、アウタカバー・ケースの外側端部に取り付けられるケース内で回動自在であるが若干の回転抵抗を構成する未使用フィルター材ロールと、もう一方側の外側端部に設けられるケース内に備えられる汚染フィルター材ロールの巻き取り装置と、吸入口開口部のフィルター材を保持するためにアウタカバー・ケースの両側側面に設けられる左右のフィルター材縁部ガイドと、該フィルター材使用更新時期を設定するためのタイマー装置を備え、このタイマー装置の入力で出力し巻き取り装置を作動させる駆動モータ装置により、汚染フィルター材更新スライド移動機能を構成したことから成るレンジフードフィルター装置を実現した。
【実施例１】
【００１１】
本発明のレンジフードフィルター装置の一実施例で、図１は該装置の吸入口開口部における各主要部分の組み合わせ構成を示す平面図で、図２は図１の側面図、図３と図４はフィルター材縁部ガイドそれぞれの動作を示す説明図で、図５はフィルター材に設けられる帯状縁部などを示す説明図である。
【００１２】
本発明の主体はフィルター機能装置系の実装方法にあるので、レンジフードフィルター装置におけるタイマー装置や駆動モータ装置及びその回路等に関わる機能機構系の説明は省略する。
以下図面に基づいて詳細に説明する。
【００１３】
アウタカバー・ケース２は、レンジフード１の吸入開口部寄り端部を挿入し着脱自在であるが固定取付を可能としている。
レンジフード１の吸入口を構成する該アウタカバー・ケース２の開口部全面にフィルター機能を構成するため、吸入口開口部全面にフィルター機能を損なうことなくフィルター材３を保持するフィルター材保持枠９を設ける。
該フィルター材３にフィルター面汚染時更新用のスライド移動機能を構成するため、アウタカバー・ケース２外側の一方の端部に固定取り付けされるケース１０内に装着自在で収納可能とされる未使用フィルター材ロール４に回動自在であるが若干の回転抵抗を構成し、この未使用フィルター材ロール４からのフィルター材３を所要とするスライド移動を妨げることなく送るためのローラ１１が回動自在構造で設けられている。
もう一方の外側端部に固定取り付けされるケース１０内には使用過程で汚染したフィルター材３を巻き取るための汚染フィルター材ロール５’を装着するための巻き取り装置５が備えられ、巻き取り回転駆動用に設けられる駆動モータ装置６により所要の回転がなされるようになっている。なお、巻き取り装置５は巻き取った汚染フィルター材ロール５’を取り外すことができるようになされ、また、フィルター材保持枠９面から汚染したフィルター材３をスムーズに引き取るためのローラ１１が回動自在に設けられている。
【００１４】
駆動モータ装置６とタイマー装置７は、レンジフード１の所要電気回路内に組み込まれ、使用過程におけるフィルター材３の汚染による更新時期を予約するタイマー装置７の入力により駆動モータ装置６が出力され、汚染したフィルタ材３の自動更新移動を行うことのできるようになっている。なお、駆動モータ装置６は単独でも駆動できるように設定がなされているものである。
【００１５】
所定のフィルター機能を有するフィルター材３は、長さ方向左右両端縁部と汚染フィルター材ロール５’への取り付け側で取付片部３”付きの縁部とに若干の剛性を有する若干幅の帯状縁部３’を構成し、この帯状縁部３’を若干の余裕を有し安定して押さえガイドするためのフィルター材縁部ガイド８’を備えることにより、フィルター機能を損なうことなく、かつ、フィルター面更新のスライド移動を妨げることないようなされている。
なお、フィルター材縁部ガイド８’は、アウタカバー・ケース２の左右両側に固定取り付けされる固定部８と所要のばね力を構成する中心軸８”を介し所定の角度で行う回動動作を若干の節度をもってできるようにし、未使用フィルター材ロール４の交換及び巻き取り装置５への取付時、該フィルター材縁部ガイド８’を所定の角度に節度をもって回転動作させ、また復元を可能とすることで、フィルター材３のフィルター面に装着を容易とするものである。
【産業上の利用可能性】
【００１６】
レンジフードフィルター装置において、使用過程における汚染フィルター材の自動更新スライド移動機能性が、家庭用のみならず産業上多方面の用途に応用利用ができる。
【図面の簡単な説明】
【００１７】
【図１】本発明のレンジフードフィルター装置の一実施例において、吸入開口部における主要部分の組み合わせ構成を示す平面図である。（実施例１）
【図２】図１の前面を示す側面図である。（実施例１）
【図３】アウタカバー・ケース２に取り付けられるＬ字形板状のフィルター材縁部ガイド８’の動作を示す説明図である。（実施例１）
【図４】アウタカバー・ケース２に取り付けられる平板状のフィルター材縁部ガイド８’の動作を示す説明図である。（実施例２）
【図５】帯状縁部３’と取付片部３”を設けるフィルター材３の説明図である。（実施例１）
【符号の説明】
【００１８】
１    レンジフード
２    アウタカバー・ケース
３    フィルター材
３’  帯状縁部
３”  取付片部
４    未使用フィルター材ロール
５    巻き取り装置
５’  汚染フィルター材ロール
６    駆動モータ装置
７    タイマー装置
８    固定部
８’  フィルター材縁部ガイド
８”  中心軸
９    フィルター材保持枠
１０  ケース
１１  ローラ
【図１】
2010255957.tif 000003
【図２】
2010255957.tif 000004
【図３】
2010255957.tif 000005
【図４】
2010255957.tif 000006
【図５】
2010255957.tif 000007